(57)【要約】      （修正有）【課題】製品が多用途であり、製造コストが低く、安定性が良好であり、設置および分解方法がより便利であり、製品を普及させて使用することができる優れた汎用性のある定向送風防止エアコン風向調節板を提供する。【解決手段】対向に設立されたガイドロッド１と係止装置２を備え、ガイドロッド１は第一ガイドロッドと第二ガイドロッドが連結されてなり、第一ガイドロッド及び第二ガイドロッドはいずれもキャビティを有する半円筒形であり、ガイドロッド１内には巻き戻し機構が設けられており、第二ガイドロッドにはガイドプレート４の幅及び開口に一致するガイド開口が設けられており、ガイド開口中にはガイドプレート４が可動連結されており、第一ガイドロッドには三角形ブラケット５が接続されており、三角形支持体の他端に可動支持ロッド６が接続されており、可動支持ロッド６には係止装置２が接続されている。【選択図】図１
0003217087.tif 000002
【実用新案登録請求の範囲】
【請求項１】
優れた汎用性のある定向送風防止エアコン風向調節板であって、対向に設立されたガイドロッドと係止装置を備え、前記ガイドロッドは第一ガイドロッドと第二ガイドロッドが連結されてなり、前記第一ガイドロッド及び第二ガイドロッドはいずれもキャビティを有する半円筒形であり、前記ガイドロッド内には巻き戻し機構が設けられており、前記第二ガイドロッドには巻き戻し機構を介してガイドプレートが接続されており、前記第二ガイドロッドにはガイドプレートの幅及び開口に一致するガイド開口が設けられており、前記ガイド開口中にはガイドプレートが可動連結されており、前記第一ガイドロッドには三角形ブラケットが接続されており、前記三角形ブラケットの他端には可動支持ロッドが接続されており、前記可動支持ロッドには係止装置が接続されていることを特徴とする優れた汎用性のある定向送風防止エアコン風向調節板。
【請求項２】
請求項１に記載の優れた汎用性のある定向送風防止エアコン風向調節板であって、前記巻き戻し機構はガイドロッドの中心に軸方向に配置されたリールを備え、前記リールの両端部が前記ガイドロッドに可動に連結され、前記リール内部にはリールを貫通しているキャビティが設けられており、前記キャビティにはリールの長さに合致した高弾性材料が設けられており、前記高弾性材料の一端は第一ガイドロッドの内壁に固着されていることを特徴とする優れた汎用性のある定向送風防止エアコン風向調節板。
【請求項３】
請求項１に記載の優れた汎用性のある定向送風防止エアコン風向調節板であって、前記三角形ブラケットの一端には円形の連結ブロックが設けられ、前記円形の連結ブロックの中心にはバンプが設けられており、前記バンプには可動支持ロッドが接続されていることを特徴とする優れた汎用性のある定向送風防止エアコン風向調節板。
【請求項４】
請求項３に記載の優れた汎用性のある定向送風防止エアコン風向調節板であって、前記可動支持ロッドには円形の連結ブロックの形状に一致する三角形ブラケット連結部を備え、前記三角形ブラケット連結部にはバンプの形状に一致する連結孔が設けられ、前記可動支持ロッドが連結孔を介して三角形ブラケットに可動に連結され、前記可動支持ロッドの側壁には均一に分布された係止装置の連結領域が設けられていることを特徴とする優れた汎用性のある定向送風防止エアコン風向調節板。
【請求項５】
請求項４に記載の優れた汎用性のある定向送風防止エアコン風向調節板であって、前記係止装置接続領域には入口部と係止部が設けられ、前記入口部と係止部が全て丸穴であり、前記入口部と係止部が互いに接触しており、前記入口部の外径が係止部の外径よりも大きいこと特徴とする優れた汎用性のある定向送風防止エアコン風向調節板。
【請求項６】
請求項５に記載の優れた汎用性のある定向送風防止エアコン風向調節板であって、前記係止装置が可動ブラケット連結バーを備え、前記可動ブラケット連結バーには均一に分布されている連結支点を有し、前記連結支点の間隔が係止装置接続領域の係止部の間隔に一致し、前記連結支点の形状及び大きさが係止装置接続領域の係止部に一致し、前記可動ブラケット連結バーが接続支点を介して係止装置接続領域に接続されていることを特徴とする優れた汎用性のある定向送風防止エアコン風向調節板。
【請求項７】
請求項６に記載の優れた汎用性のある定向送風防止エアコン風向調節板であって、前記可動ブラケット連結バーの他端に固定取付ブラケットが接続されており、前記固定取付ブラケットに締付ベルトが設けられていることを特徴とする優れた汎用性のある定向送風防止エアコン風向調節板。
【請求項８】
請求項１に記載の優れた汎用性のある定向送風防止エアコン風向調節板であって、前記ガイドプレートが布材からなるガイドプレートであることを特徴とする優れた汎用性のある定向送風防止エアコン風向調節板。
【請求項９】
請求項２に記載の優れた汎用性のある定向送風防止エアコン風向調節板であって、前記高弾性材料がリターンスプリングであることを特徴とする優れた汎用性のある定向送風防止エアコン風向調節板。
【請求項１０】
請求項６に記載の優れた汎用性のある定向送風防止エアコン風向調節板であって、前記連結支点の数が２つであることを特徴とする優れた汎用性のある定向送風防止エアコン風向調節板。
【考案の詳細な説明】
【技術分野】
【０００１】
本考案は、定向送風防止エアコン風向調節板に関し、具体的には優れた汎用性のある定向送風防止エアコン風向調節板に関する。
【背景技術】
【０００２】
人々の生活水準の向上に伴い、壁掛けエアコンはもはや家庭や事務所の必需品とされ、エアコンの送風口には一般的に風向調節板を備えるが、風向の調整範囲が極端に狭く、調節された風向が依然として定向送風であり、使用者が定向送風に短時間浴びると具合が悪くなったり、長時間浴びると関節炎や他の病気になったり、長期使用すると人体への健康障害が非常に深刻なので、市場にいくつかのエアコンのガイド装置が現れたが、その調節角度が小さくて最も重要なのは様々な種類のエアコンに配合するために対応幅のガイド装置を製造する必要があり、汎用性が悪く、生産時間と材料もかかるし、異なるタイプの壁掛けエアコンの差別化ニーズを満たすことができない。
【考案の概要】
【０００３】
本考案が解決しようとする技術的課題は上記従来技術の欠点に鑑み、優れた汎用性のある定向送風防止エアコン風向調節板を提供することである。
【０００４】
上記の目的を達成するために、本考案は以下のような技術的解決手段を提供する。優れた汎用性のある定向送風防止エアコン風向調節板であって、対向に設立されたガイドロッドと係止装置を備え、前記ガイドロッドは第一ガイドロッドと第二ガイドロッドが連結されてなり、前記第一ガイドロッド及び第二ガイドロッドはいずれもキャビティを有する半円筒形であり、前記ガイドロッド内には巻き戻し機構が設けられており、前記第二ガイドロッドには巻き戻し機構を介してガイドプレートが接続されており、前記第二ガイドロッドにはガイドプレートの幅及び開口に一致するガイド開口が設けられており、前記ガイド開口中にはガイドプレートが可動連結されており、前記第一ガイドロッドには三角形ブラケットが接続されており、前記三角形ブラケットの他端には可動支持ロッドが接続されており、前記可動支持ロッドには係止装置が接続されていることを特徴とする。
【０００５】
上記技術的解決手段によると、第一ガイドロッドと第二ガイドロッドをガイドロッドに組み込み、第二ガイドロッドにはネジ孔が設けられ、ガイドロッド内部にはネジ結合シートが設けられ、このように設置された第一ガイドロッドと第二ガイドロッドはネジを介して接続され、その内部に設置された巻き戻し機構はガイドプレートを実際要求の長さに応じて調節可能にさせ、これにより本考案の汎用性を向上させ、可動支持ロッドに設置された係止装置は、本考案のものを壁掛けエアコン上方に掛けると緩みがないことを確保し、また係止装置があるため、本考案の取り付けもより容易になる。
【０００６】
上記優れた汎用性のある定向送風防止エアコン風向調節板は、さらに以下のとおりに設置してもよく、前記巻き戻し機構はガイドロッドの中心に軸方向に配置されたリールを備え、前記リールの両端部が前記ガイドロッドに可動に連結され、前記リール内部にリールを貫通しているキャビティが設けられ、前記キャビティ内にはリールの長さに一致する高弾性材料が設けられており、前記高弾性材料の一端は第一ガイドロッドの内壁に固着されている。
【０００７】
上記技術的解決手段によると、ガイドロッドの中心に軸方向に設置されたリールと、リール中に設置された高弾性材料、このようなガイドロッドをガイドプレートに接続するとガイドロッドに応力がないとき自動的に復帰することができ、またこのような設定で、高弾性材料を介して該構成の迅速な復帰を確実にすることができる。
【０００８】
上記優れた汎用性のある定向送風防止エアコン風向調節板は、さらに以下のとおりに設置してもよく、前記三角形ブラケットの一端には円形の連結ブロックが設けられ、前記円形の連結ブロックの中心にはバンプが設けられ、前記バンプには可動支持ロッドが接続されている。
【０００９】
上記優れた汎用性のある定向送風防止エアコン風向調節板は、さらに以下のとおりに設置してもよく、前記可動支持ロッドには円形の連結ブロックの形状に一致する三角形ブラケット連結部を備え、前記三角形ブラケット連結部にはバンプの形状に一致する連結孔が設けられ、前記可動支持ロッドは連結孔を介して三角形ブラケットに可動に連結され、前記可動支持ロッドの側壁には均一に分布された係止装置の連結領域が設けられている。
【００１０】
上記技術的解決手段によると、三角形ブラケットの一端に配置された円形の連結ブロックにはバンプを介して可動支持ロッドが可動連結され、これにより可動支持ロッドが連結位置で回動することで可動ブラケットの角度を調整することができ、これに対して可動支持ロッドの他端には係止装置が接続されており、これにより係止装置への調節を実現し、可動支持ロッドの三角形ブラケット接続部にバンブと同形状の接続孔を設置することによって三角形ブラケットとの接続をより美観にする。
【００１１】
上記優れた汎用性のある定向送風防止エアコン風向調節板は、さらに以下のとおりに設置してもよく、前記係止装置接続領域には入口部と係止部が設けられ、前記入口部と係止部は全て丸穴であり、前記入口部と係止部は互いに接触しており、前記入口部の外径は係止部の外径よりも大きい。
【００１２】
上記優れた汎用性のある定向送風防止エアコン風向調節板は、さらに以下のとおりに設置してもよく、前記係止装置は可動ブラケット連結バーを備え、前記可動ブラケット連結バーには均一に分布されている連結支点を有し、前記連結支点の間隔は係止装置接続領域の係止部の間隔に一致し、前記連結支点の形状及び大きさは係止装置接続領域の係止部に一致し、前記可動ブラケット連結バーは連結支点を介して係止装置接続領域に接続されている。
【００１３】
上記技術的解決手段によると、係止装置の可動ブラケットの連結バーに均一に分布された連結支点の間隔は可動ブラケットの側壁に設置された係止装置連結領域における係止部の間隔に一致し、そして大きさ及び形状も一致し、係止装置接続領域の入口部の外径は係止部の外径よりも大きいため、連結支点を入口部に挿入して係止部に向かって移動させることができるので、連結支点が係止部にスナップ嵌めされ、分解のとき連結支点を入口部に向かって移動させるだけで分解することができ、このような方式は実用的で美観がよい。
【００１４】
上記優れた汎用性のある定向送風防止エアコン風向調節板は、さらに以下のとおりに設置してもよく、前記可動ブラケット連結バーの他端に固定取付ブラケットが接続されており、前記固定取付ブラケットに締付ベルトが設けられている。
【００１５】
上記技術的解決手段によると、固定取付ブラケットに設置された締付ベルトは実際要求に応じて締め付け調整することができ、これにより本考案を壁掛けエアコン上方に掛けたときの堅牢性を高める。一方、締付ベルトを採用して調節するとより簡単で実施が容易であり、製造コストが低減され、設置および分解効率も向上される。
【００１６】
上記優れた汎用性のある定向送風防止エアコン風向調節板は、さらに以下のとおりに設置してもよく、前記ガイドプレートが布材からなるガイドプレートである。
【００１７】
上記技術的解決手段によると、巻き戻し機構を介してガイドロッドとガイドプレートとを接続したので、巻き戻し機構に応力がないときガイドプレートがリールに巻きつけ、したがって硬質材料が好ましくなく、布材を使用すると巻き戻し機構のこんな汎用性のよい調節板を実現するだけでなく、布材のガイドプレートの清掃が容易で軽量になる。
【００１８】
上記優れた汎用性のある定向送風防止エアコン風向調節板は、さらに以下のとおりに設置してもよく、前記高弾性材料がリターンスプリングである。
【００１９】
上記技術的解決手段によると、高弾性材料はリターンスプリングを選用し、リターンスプリングが調達しやすく、そして復帰安定性が良好で耐用年数が長いからである。
【００２０】
上記優れた汎用性のある定向送風防止エアコン風向調節板は、さらに以下のとおりに設置してもよく、前記連結支点の数が2つである。
【００２１】
上記技術的解決手段によると、連結支点が2つに配置されると係止装置内の可動支持ブラケット連結バーと可動支持ブラケットとが連結された後の安定性を向上させる。
【００２２】
本考案の有益な効果は以下のとおりであり、製品の汎用性が高く、生産コストも市場での同様の製品より低く、優れた安定性を有し、設置および分解もより便利で迅速であり、普及させて使用することができる。
【００２３】
以下に添付図面および実施例と関連付けて本考案をさらに詳細に説明する。
【図面の簡単な説明】
【００２４】
【図１】図１は本考案の実施例の斜視図である。
【図２】図２は本考案の実施例に係るガイドロッドの概略図である。
【図３】図３は本考案の実施例に係るガイドロッドの内部巻戻し機構の概略図である。
【図４】図４は本考案の実施例に係る三角形ブラケットの概略図である。
【図５】図５は本考案の実施例に係る可動支持ロッドの概略図である。
【図６】図６は本考案の実施例に係る可動ブラケット連結バーと固定取付ブラケットとの間の連結の概略図である。
【考案を実施するための形態】
【００２５】
図１〜図６に示すように、優れた汎用性のある定向送風防止エアコン風向調節板であって、対向に設立されたガイドロッド１と係止装置２を備え、その特徴は以下のとおりであり、前記ガイドロッド１はキャビティを有する半円筒形の第一ガイドロッド１１と第二ガイドロッド１２が連結されてなり、前記ガイドロッド１内には巻き戻し機構３が設けられており、前記第二ガイドロッド１２には巻き戻し機構３を介して布材からなるガイドプレート４が接続されており、前記第二ガイドロッド１２にはガイドプレート４の幅及び開口に一致するガイド開口１２１が設けられており、前記ガイド開口１２１中にはガイドプレート４が可動連結されており、前記第一ガイドロッド１１には三角形ブラケット５が接続されており、前記三角形ブラケット５の他端には可動支持ロッド６が接続されており、前記可動支持ロッド６には係止装置２が接続されている。前記巻き戻し機構３はガイドロッド１の中心に軸方向に配置されたリール３１を備え、前記リール３１の両端部が前記ガイドロッド１に可動に連結され、前記リール３１内部にリールを貫通しているキャビティが設けられ、前記キャビティにはリール３１の長さに一致するリターンスプリング３２が設けられており、前記リターンスプリング３２の一端は第一ガイドロッド１１の内壁に固着されている。前記三角形ブラケット５の一端には円形の連結ブロック１１１が設けられ、前記円形の連結ブロック１１１の中心にはバンプ１１２が設けられ、前記バンプ１１２には可動支持ロッド６が接続されている。前記可動支持ロッド６には円形の連結ブロック１１１の形状に一致する三角形ブラケット連結部６１が設けられ、前記三角形ブラケット連結部６１にはバンプ１１２の形状に一致する連結孔６２が設けられ、前記可動支持ロッド６は連結孔６２を介して三角形ブラケット５に可動に連結され、前記可動支持ロッド６の側壁には均一に分布された係止装置連結領域６３が設けられている。前記係止装置接続領域６３には入口部６３１と係止部６３２が設けられ、前記入口部６３１と係止部６３２は全て丸穴であり、前記入口部６３１と係止部６３２は互いに接触しており、前記入口部６３１の外径は係止部６３２の外径よりも大きい。前記係止装置２は可動ブラケット連結バー２１を備え、前記可動ブラケット連結バー２１には二つの連結支点２１１が設けられ、前記連結支点２１１の間隔は係止装置接続領域６３の係止部６３２の間隔に一致し、前記連結支点２１１の形状及び大きさは係止装置接続領域６３の係止部６３２に一致し、前記可動ブラケット連結バー２１は接続支点２１１を介して係止装置接続領域６３に接続されている。前記可動ブラケット連結バー２１の他端には固定取付ブラケット７が接続され、前記固定取付ブラケット７には締付ベルト７１が設けられている。
【図１】
0003217087.tif 000003
【図２】
0003217087.tif 000004
【図３】
0003217087.tif 000005
【図４】
0003217087.tif 000006
【図５】
0003217087.tif 000007
【図６】
0003217087.tif 000008
【手続補正書】
【提出日】平成30年5月21日(2018.5.21)
【手続補正１】
【補正対象書類名】実用新案登録請求の範囲
【補正対象項目名】全文
【補正方法】変更
【補正の内容】
【実用新案登録請求の範囲】
【請求項１】
優れた汎用性のある定向送風防止エアコン風向調節板であって、対向に設立されたガイドロッドと係止装置を備え、前記ガイドロッドは第一ガイドロッドと第二ガイドロッドが連結されてなり、前記第一ガイドロッド及び第二ガイドロッドはいずれもキャビティを有する半円筒形であり、前記ガイドロッド内には巻き戻し機構が設けられており、前記第二ガイドロッドには巻き戻し機構を介してガイドプレートが接続されており、前記第二ガイドロッドにはガイドプレートの幅及び開口に一致するガイド開口が設けられており、前記ガイド開口中にはガイドプレートが可動連結されており、前記第一ガイドロッドには三角形ブラケットが接続されており、前記三角形ブラケットの他端には可動支持ロッドが接続されており、前記可動支持ロッドには係止装置が接続されていることを特徴とする優れた汎用性のある定向送風防止エアコン風向調節板。
【請求項２】
請求項１に記載の優れた汎用性のある定向送風防止エアコン風向調節板であって、前記巻き戻し機構はガイドロッドの中心に軸方向に配置されたリールを備え、前記リールの両端部が前記ガイドロッドに可動に連結され、前記リール内部にはリールを貫通しているキャビティが設けられており、前記キャビティにはリールの長さに合致した高弾性材料が設けられており、前記高弾性材料の一端は第一ガイドロッドの内壁に固着されていることを特徴とする優れた汎用性のある定向送風防止エアコン風向調節板。
【請求項３】
請求項１に記載の優れた汎用性のある定向送風防止エアコン風向調節板であって、前記三角形ブラケットの一端には円形の連結ブロックが設けられ、前記円形の連結ブロックの中心にはバンプが設けられており、前記バンプには可動支持ロッドが接続されていることを特徴とする優れた汎用性のある定向送風防止エアコン風向調節板。
【請求項４】
請求項３に記載の優れた汎用性のある定向送風防止エアコン風向調節板であって、前記可動支持ロッドには円形の連結ブロックの形状に一致する三角形ブラケット連結部を備え、前記三角形ブラケット連結部にはバンプの形状に一致する連結孔が設けられ、前記可動支持ロッドが連結孔を介して三角形ブラケットに可動に連結され、前記可動支持ロッドの側壁には均一に分布された係止装置接続領域が設けられていることを特徴とする優れた汎用性のある定向送風防止エアコン風向調節板。
【請求項５】
請求項４に記載の優れた汎用性のある定向送風防止エアコン風向調節板であって、前記係止装置接続領域には入口部と係止部が設けられ、前記入口部と係止部が全て丸穴であり、前記入口部と係止部が互いに接触しており、前記入口部の外径が係止部の外径よりも大きいこと特徴とする優れた汎用性のある定向送風防止エアコン風向調節板。
【請求項６】
請求項５に記載の優れた汎用性のある定向送風防止エアコン風向調節板であって、前記係止装置が可動ブラケット連結バーを備え、前記可動ブラケット連結バーには均一に分布されている連結支点を有し、前記連結支点の間隔が係止装置接続領域の係止部の間隔に一致し、前記連結支点の形状及び大きさが係止装置接続領域の係止部に一致し、前記可動ブラケット連結バーが接続支点を介して係止装置接続領域に接続されていることを特徴とする優れた汎用性のある定向送風防止エアコン風向調節板。
【請求項７】
請求項６に記載の優れた汎用性のある定向送風防止エアコン風向調節板であって、前記可動ブラケット連結バーの他端に固定取付ブラケットが接続されており、前記固定取付ブラケットに締付ベルトが設けられていることを特徴とする優れた汎用性のある定向送風防止エアコン風向調節板。
【請求項８】
請求項１に記載の優れた汎用性のある定向送風防止エアコン風向調節板であって、前記ガイドプレートが布材からなるガイドプレートであることを特徴とする優れた汎用性のある定向送風防止エアコン風向調節板。
【請求項９】
請求項２に記載の優れた汎用性のある定向送風防止エアコン風向調節板であって、前記高弾性材料がリターンスプリングであることを特徴とする優れた汎用性のある定向送風防止エアコン風向調節板。
【請求項１０】
請求項６に記載の優れた汎用性のある定向送風防止エアコン風向調節板であって、前記連結支点の数が２つであることを特徴とする優れた汎用性のある定向送風防止エアコン風向調節板。
【手続補正２】
【補正対象書類名】明細書
【補正対象項目名】０００９
【補正方法】変更
【補正の内容】
【０００９】
上記優れた汎用性のある定向送風防止エアコン風向調節板は、さらに以下のとおりに設置してもよく、前記可動支持ロッドには円形の連結ブロックの形状に一致する三角形ブラケット連結部を備え、前記三角形ブラケット連結部にはバンプの形状に一致する連結孔が設けられ、前記可動支持ロッドは連結孔を介して三角形ブラケットに可動に連結され、前記可動支持ロッドの側壁には均一に分布された係止装置接続領域が設けられている。
【手続補正３】
【補正対象書類名】明細書
【補正対象項目名】００１３
【補正方法】変更
【補正の内容】
【００１３】
上記技術的解決手段によると、係止装置の可動ブラケットの連結バーに均一に分布された連結支点の間隔は可動ブラケットの側壁に設置された係止装置接続領域における係止部の間隔に一致し、そして大きさ及び形状も一致し、係止装置接続領域の入口部の外径は係止部の外径よりも大きいため、連結支点を入口部に挿入して係止部に向かって移動させることができるので、連結支点が係止部にスナップ嵌めされ、分解のとき連結支点を入口部に向かって移動させるだけで分解することができ、このような方式は実用的で美観がよい。
【手続補正４】
【補正対象書類名】明細書
【補正対象項目名】００２５
【補正方法】変更
【補正の内容】
【００２５】
図１〜図６に示すように、優れた汎用性のある定向送風防止エアコン風向調節板であって、対向に設立されたガイドロッド１と係止装置２を備え、その特徴は以下のとおりであり、前記ガイドロッド１はキャビティを有する半円筒形の第一ガイドロッド１１と第二ガイドロッド１２が連結されてなり、前記ガイドロッド１内には巻き戻し機構３が設けられており、前記第二ガイドロッド１２には巻き戻し機構３を介して布材からなるガイドプレート４が接続されており、前記第二ガイドロッド１２にはガイドプレート４の幅及び開口に一致するガイド開口１２１が設けられており、前記ガイド開口１２１中にはガイドプレート４が可動連結されており、前記第一ガイドロッド１１には三角形ブラケット５が接続されており、前記三角形ブラケット５の他端には可動支持ロッド６が接続されており、前記可動支持ロッド６には係止装置２が接続されている。前記巻き戻し機構３はガイドロッド１の中心に軸方向に配置されたリール３１を備え、前記リール３１の両端部が前記ガイドロッド１に可動に連結され、前記リール３１内部にリールを貫通しているキャビティが設けられ、前記キャビティにはリール３１の長さに一致するリターンスプリング３２が設けられており、前記リターンスプリング３２の一端は第一ガイドロッド１１の内壁に固着されている。前記三角形ブラケット５の一端には円形の連結ブロック１１１が設けられ、前記円形の連結ブロック１１１の中心にはバンプ１１２が設けられ、前記バンプ１１２には可動支持ロッド６が接続されている。前記可動支持ロッド６には円形の連結ブロック１１１の形状に一致する三角形ブラケット連結部６１が設けられ、前記三角形ブラケット連結部６１にはバンプ１１２の形状に一致する連結孔６２が設けられ、前記可動支持ロッド６は連結孔６２を介して三角形ブラケット５に可動に連結され、前記可動支持ロッド６の側壁には均一に分布された係止装置接続領域６３が設けられている。前記係止装置接続領域６３には入口部６３１と係止部６３２が設けられ、前記入口部６３１と係止部６３２は全て丸穴であり、前記入口部６３１と係止部６３２は互いに接触しており、前記入口部６３１の外径は係止部６３２の外径よりも大きい。前記係止装置２は可動ブラケット連結バー２１を備え、前記可動ブラケット連結バー２１には二つの連結支点２１１が設けられ、前記連結支点２１１の間隔は係止装置接続領域６３の係止部６３２の間隔に一致し、前記連結支点２１１の形状及び大きさは係止装置接続領域６３の係止部６３２に一致し、前記可動ブラケット連結バー２１は接続支点２１１を介して係止装置接続領域６３に接続されている。前記可動ブラケット連結バー２１の他端には固定取付ブラケット７が接続され、前記固定取付ブラケット７には締付ベルト７１が設けられている。